(57)【要約】【課題】  盗難を防止するとともに盗難後に所在地を追跡することの可能な情報処理装置を提供することを目的とする。【解決手段】  情報処理装置が盗難されたら、無線通信モジュール１４、ＧＰＳ１５、３Ｄセンサ２２等の限られたユニットのみオンとし、ディスプレイユニット４による表示動作やキーボード７によるキー入力動作は禁止する。盗難された情報処理装置１の位置をＧＰＳ１５により割り出し無線通信を介してサーバに通知する。サーバに音声データが保存されている場合は、情報処理装置１のスピーカから音声を出力するとともに、情報処理装置１のマイクにより周辺の音声を録音することができる。また、外部から容易に着脱できないセキュリティ制御動作専用のサブバッテリ２６を設けることで、バッテリ切れによるセキュリティ動作の中断という事態を防ぐことができる【選択図】  図２
2007265139.tif 000002
【特許請求の範囲】
【請求項１】
サーバと無線通信可能な情報処理装置において、
第１のバッテリを有する本体と、
前記本体の位置情報を取得する位置情報取得部と、
前記サーバと無線通信を行う無線通信部と、
前記本体を制御する制御部と、
前記本体の移動を検出する移動検出部と、を備え、
前記制御部は、前記移動検出手段により前記本体の移動が検出された時に、前記位置情報取得部により前記本体の位置情報を取得し、前記取得された位置情報を前記無線通信を介して前記サーバへ送信することを特徴とする情報処理装置。
【請求項２】
前記第１のバッテリからの電力供給が停止されている時に、少なくとも前記制御部と前記移動検出部とに電力供給を行う第２のバッテリを有することを特徴とする請求項１記載の情報処理装置。
【請求項３】
前記移動検出部により前記本体の移動が検出された時、前記制御部は前記本体の主電源をオフすることを特徴とする請求項１記載の情報処理装置。
【請求項４】
前記本体の主電源をオンする電源スイッチを有し、前記移動検出部により前記本体の移動が検出された時、前記制御部は前記本体の主電源をオフするとともに、前記電源スイッチを無効にすることを特徴とする請求項３記載の情報処理装置。
【請求項５】
前記本体は音声再生部を有し、前記移動検出部により前記本体の移動が検出された時、前記無線通信を介して前記サーバから取得された音声データを再生することを特徴とする請求項１記載の情報処理装置。
【請求項６】
前記本体は音声録音部を有し、前記移動検出手段により前記本体の移動が検出された時、前記本体周囲の音声を録音し、録音して取得された音声データを前記無線通信を介して前記サーバへ送信することを特徴とする請求項１記載の情報処理装置。
【発明の詳細な説明】
【技術分野】
【０００１】
本発明は、情報処理装置に関し、特にセキュリティ技術に関する。
【背景技術】
【０００２】
従来、情報処理装置の盗難や第三者の不正操作を防止するための技術が種々開示されている。情報処理装置を物理的に固定して持ち出しを困難にするものや、盗難された情報処理装置の操作を無効にするもの等が代表的である。特許文献１には、加速度センサにより装置の移動・盗難を検出して、警報を発生する方法が記載されている。装置の主電源がオフの場合でも、加速度センサにより装置の移動を検出し、移動を検出した後は主電源をオンとする。主電源スイッチによらず、移動検出信号に基づいて主電源がオンされた場合は警報を発生するようになっている。警報が発生されると、主電源スイッチを無効化し、主電源を切って警報を止めることをできないようにする。また、音量調節機能やミュート機能を無効化し、警報を止めることができないようになっている。
【特許文献１】特開２００５−２４２５８５号公報
【発明の開示】
【発明が解決しようとする課題】
【０００３】
しかし、上記の方式の場合、アラームを鳴らしたにも関わらず盗難された時に、情報処理装置の所在地を追跡することはできない。そこで本発明の目的は、盗難を防止するとともに盗難後に所在地を追跡することの可能な情報処理装置を提供することにある。
【課題を解決するための手段】
【０００４】
上記目的を達成するために本発明に係る情報処理装置は、サーバと無線通信可能な情報処理装置において、第１のバッテリを有する本体と、前記本体の位置情報を取得する位置情報取得部と、前記サーバと無線通信を行う無線通信部と、前記本体を制御する制御部と、前記本体の移動を検出する移動検出部と、を備え、前記制御部は、前記移動検出部により前記本体の移動が検出された時に、前記位置情報取得部により前記本体の位置情報を取得し、前記取得された位置情報を前記無線通信手段を介して前記サーバへ送信することを特徴とする。
【発明の効果】
【０００５】
本発明によれば、盗難を防止するとともに盗難後に所在地を追跡することの可能な情報処理装置を提供することができる。
【発明を実施するための最良の形態】
【０００６】
以下本発明に係る実施の形態を、図面を参照して説明する。
【０００７】
図１は本発明の実施形態に係る情報処理装置を示す外観斜視図である。情報処理装置１は本体２を備え、本体２にはヒンジ部３を介してディスプレイユニット４が回動可能に取り付けられている。本体２の前上面２ａにはタッチパッド５が取り付けられている。本体２の後上面２ｂにはキーボード６と主電源スイッチ７が取り付けられている。本体２は樹脂製の上ケース８と下ケース９とを有し、本体２内には複数の電子部品を搭載した図示しない回路基板が収容されている。
【０００８】
図２は本発明の実施形態に係る情報処理装置の構成を示すブロック図である。ＣＰＵ１０はプロセッサ等で構成され、後述するメモリに記憶されたプログラムを実行する。また、ＣＰＵ１０は入力装置や記憶装置からデータを受け取り、演算・加工した上で、出力装置や記憶装置に出力する。ノースブリッジ１１はバスによりＣＰＵ１０と接続されている。ノースブリッジ１１はＲＡＭやＲＯＭ等のメモリ１２と接続され、メモリ１２を制御する。ＲＡＭは例えばＤＲＡＭで構成され、ＣＰＵ１０が実行するプログラム、またはＣＰＵ１０の動作に必要なデータを記憶する。ＲＯＭは読み出し専用記憶装置として、書き換える必要のない情報や書き換えられてはいけない情報を記憶している。ノースブリッジ１１はバスを介してサウスブリッジ１３とも接続されている。サウスブリッジ１３はＨＤＤのような外部記憶装置や周辺装置の制御等、各種のＩ／Ｏ（Ｉｎｐｕｔ／Ｏｕｔｐｕｔ）を制御する。サウスブリッジ１３にはバスを介して無線モジュール１４、ＧＰＳ１５、サウンド回路１６が接続されている。無線モジュール１４はサーバ等と無線通信を行うためのものであり、例えば、３Ｇ方式の無線通信モジュールが用いられる。ＧＰＳ（Ｇｌｏｂａｌ  Ｐｏｓｉｔｉｏｎｉｎｇ  Ｓｙｓｔｅｍ）１５は人工衛星からの電波を利用して、情報処理装置１の所在地を割り出すことができる。サウンド回路１６はサウスブリッジ１３から送られる圧縮音声信号をアナログの音声信号に変換し、音声入出力部１７へ出力される。音声入出力部１７はスピーカやマイク等から構成され、入力された音声信号を音声に変換して出力するとともに、外部の音声を録音する。
【０００９】
ＥＣ／ＫＢＣ（Ｅｍｂｅｄｅｄ  Ｃｏｎｔｒｏｌｌｅｒ／Ｋｅｙｂｏａｒｄ  Ｃｏｎｔｒｏｌｌｅｒ）２０は例えばマイクロコンピュータ等で構成され、キーボード７を制御する機能、ユーティリティソフトウェアとのインタフェースを提供する機能等を有する。ＥＣ／ＫＢＣ２０はＯＳ（Ｏｐｅｒａｔｉｎｇ  Ｓｙｓｔｅｍ）やＢＩＯＳ（Ｂａｓｉｃ  Ｉｎｐｕｔ  Ｏｕｔｐｕｔ  Ｓｙｓｔｅｍ）等の基本制御ソフトウェアとの通信を行うためのインタフェースも有しており、コマンドやデータの授受を行うこともできる。
【００１０】
ＥＣ／ＫＢＣ２０はキーボード６、主電源スイッチ７、３Ｄセンサ２２、アラーム回路２３に接続されている。キーボード６はＥＣ／ＫＢＣ２０に接続され、ＥＣ／ＫＢＣ２０により制御される。後述するように、情報処理装置１が盗難されたと判断した時、ＥＣ／ＫＢＣ２０はキーボード６による入力を禁止する。ユーザは主電源スイッチ７を押下することにより、情報処理装置１を起動する。３Ｄセンサ２２は、例えば３Ｄ加速度センサが用いられ、本体２の落下や移動等を検出する。アラーム回路２３は、３Ｄセンサ２２により本体２の移動量が一定量を超えたと判断された時に警告音を発生させる。後述するように、警告音はキーボード６からのパスワード入力により止めることも可能である。メインバッテリ２５は本体２に電力を供給するために設けられる。サブバッテリ２６はＥＣ／ＫＢＣ２０専用のバッテリであり、メインバッテリ２５とは別に設けられている。サブバッテリ２６は本体２の外部からは容易に取り外せないように設けられている。例えば、サブバッテリ２６は本体２の上ケース８と下ケース９とを分離して情報処理装置１を分解しないと着脱できないようにしても良い。本体２の電源が入っていない時でも、ＥＣ／ＫＢＣ２０は専用のサブバッテリ２６により駆動している。３Ｄセンサ２２とアラーム回路２３はＥＣ／ＫＢＣ２０に接続されているため、本体２の電源が入っていなくても機能する。ＥＣ／ＫＢＣ２０専用のサブバッテリ２６は容易に着脱できないように設けられているため、アラームが鳴った時に、サブバッテリ２６を外してアラームを解除することを防止することができる。主電源スイッチ７を切ってもアラーム回路２３はＥＣ／ＫＢＣ２０により駆動される。
【００１１】
図３は本発明の実施形態に係る情報処理装置のセキュリティ動作を示すフローチャートである。ＧＰＳ１５による位置検出や、３Ｄセンサ２２による移動量の検出により、情報処理装置１の移動が検出される（ステップ１−１）。情報処理装置１があらかじめ設定された距離以上に移動した場合、あらかじめ設定された領域外に移動した場合、無線通信による異常応答の状況を検出した場合等に、盗難の可能性があると判断する（ステップ１−２のＹｅｓ）。具体的には、ＧＰＳ１５による位置検出、３Ｄセンサ２２による基準量以上の移動量の検出、無線通信におけるアクセスポイントの変化や、無線接続の切断等により盗難かどうかを判断する。３Ｄセンサ２２により検出する移動量の基準値はＥＣ／ＫＢＣ２０に接続された専用のメモリ（図示せず）に記憶されている。主電源スイッチ７により本体２の電源を入れていない時も、ＥＣ／ＫＢＣ２０の部分は専用のサブバッテリ２６で駆動しているため、３Ｄセンサ２２により情報処理装置１の移動を検出することができる。情報処理装置１の移動量があらかじめ設定された距離以下である場合や、あらかじめ設定された領域内での移動である場合は盗難ではないと判断し（ステップ１−２のＮｏ）、特別な処理は行わない。
【００１２】
情報処理装置１の盗難の可能性があると判断すると（ステップ１−２のＹｅｓ）、アラーム回路２３によりアラームを発生させる（ステップ１−３）。本体２の電源を入れていない時も、ＥＣ／ＫＢＣ２０の部分は専用のサブバッテリ２６で駆動しているため、アラーム回路２３によりアラームを鳴らすことは可能である。本体２の電源を入れていない状態でアラームを鳴らした場合、アラームを鳴らしたことを契機として、ＥＣ／ＫＢＣ２０によって本体２の電源を入れるようにしても良い。アラームを発生させたら、ユーザにパスワードの入力を要求する（ステップ１−４）。本体２の電源が入っていない場合は、パスワードの入力を要求する時にＥＣ／ＫＢＣ２０によってディスプレイユニット４やキーボード７等のパスワード入力に必要なユニットを使用できるようにする。アラームが発生した後に入力したパスワードが正しい場合は（ステップ１−５のＹｅｓ）、アラームをオフにする（ステップ１−６）。情報処理装置１があらかじめ設定された距離以上移動した場合や、あらかじめ設定された領域外へ移動した場合でも、正規のユーザによる場合は、キーボード７によりパスワードを入力することでアラームを解除することができる。
【００１３】
入力したパスワードが誤っている場合は（ステップ１−５のＮｏ）、正規のユーザによる持ち出しではなく第三者による盗難であると判断する。正しいパスワードが入力されない場合は、繰り返しパスワード入力を要求し、アラームは鳴り続ける。この時、所定の回数以上パスワード入力に失敗した場合は、以後のパスワード入力を受け付けないようにしても良い。正しいパスワードが入力されない場合は、アラームは鳴り続けるが一定時間経過すると（ステップ１−７）、アラームをオフする（ステップ１−８）。アラームをオフした後に情報処理装置１を通常の動作モード(第１のモード)とは異なる盗難用のモード（第２のモード）に切り替える（ステップ１−９）。第２のモードへの切り替えは自動的に行う。
【００１４】
盗難用の第２のモードでは、無線通信モジュール１４、ＧＰＳ１５、３Ｄセンサ２２等の限られたユニットのみオンとし、ディスプレイユニット４による表示動作やキーボード７によるキー入力動作は禁止する。第２のモード中は必要なユニットのみを動作させ、使用しないユニットをオフにすることで消費電力を低減することができる。第２のモードに移行する時はアラーム等を鳴らさず、情報処理装置１を持ち出した者に気付かれないように移行する。
【００１５】
ＧＰＳ１５や３Ｄセンサ２２により盗難の可能性があると判断された時は、盗難防止や不正操作防止のために、アラームを発生させ、パスワードの入力を要求することが望ましい。情報処理装置１の盗難を検知して第２のモードに切り替えるためには、アラームの発生やパスワードの入力要求は必ずしも必要ではなく、これらの動作を行わずに第２のモードに移行するようにしても良い。また、アラームをオフせずにアラームを鳴らしたまま第２のモードに移行しても良い。
【００１６】
図４は本発明の実施形態に係る情報処理装置の第２のモードにおける音声再生動作を示すフローチャートである。第２のモードに移行したら、第２のモードに移行した事を無線通信モジュール１４を介してサーバへ通知する（ステップ２−１）。第２のモードに移行したら、ＥＣ／ＫＢＣ２０により無線通信モジュール１４、ＧＰＳ１５等の情報処理装置１の位置を特定するのに必要なユニットのみオンとする（ステップ２−２）。同時に、ディスプレイユニット４による表示動作やキーボード７によるキー入力動作を禁止するとともに、主電源スイッチ７を無効化する（ステップ２−３）。主電源スイッチ７を無効化するには、例えばサーバから無線通信によりＥＣ／ＫＢＣ２０に対して主電源スイッチ無効化コマンドを送信する方法が考えられる。
【００１７】
無線通信モジュール１４、ＧＰＳ１５等を起動させたら、ＧＰＳ１５により情報処理装置１の位置情報を取得する（ステップ２−４）。位置情報を取得したら無線通信モジュール１４によりサーバへ位置情報を送信する（ステップ２−５）。この時、サーバに音声データがある場合は（ステップ２−６のＹｅｓ）、無線通信モジュール１４を介して音声データを取得することができる。サーバから音声データを取得したら、音声入出力部１７により再生することができる（ステップ２−７）。サーバから取得して再生する音声データとしては、情報処理装置１の返却を要求するものや、正規のユーザの連絡先を通知するもの等が考えられる。第２のモードに移行してから一定時間経過したら（ステップ２−８）、本体２の主電源をＥＣ／ＫＢＣ２０によりオフにする（ステップ２−９）。第２のモードに移行した際に、主電源スイッチ７を無効化しておくことで、情報処理装置１の主電源をオフした後に第三者が再び電源を入れることは不可能になる。
【００１８】
本体２の主電源をオフした後も、ＥＣ／ＫＢＣ２０により定期的に本体２の電源を入れるようにしても良い。本体２の電源を入れたり切ったりすることでメインバッテリ２５の消耗を抑えることができる。
【００１９】
図５は本発明の実施形態に係る情報処理装置の音声録音動作を示すフローチャートである。第２のモードに移行する動作（ステップ３−１）から、ＧＰＳ１５により情報処理装置１の位置情報を取得する動作（ステップ３−４）までは図４に示したフローチャートと大きな相違点はないので説明を省略する。
【００２０】
情報処理装置１の位置情報を取得したら、位置情報をサーバへ通知する（ステップ３−５）。サーバへ情報処理装置１の位置情報を通知したら、音声入出力部１７により情報処理装置１の周辺の音声を録音する（ステップ３−６）。周囲の音声を録音したら、得られた音声データを無線通信を介してサーバに送信する（ステップ３−７）。情報処理装置１を盗難され、第２のモードで起動している時に、情報処理装置１の周囲の音や盗難した者の肉声を録音することができる。第２のモードに移行してから一定時間経過したら（ステップ３−８）、本体２の主電源をＥＣ／ＫＢＣ２０によりオフにする（ステップ３−９）。
【００２１】
本体２の主電源をオフした後も、ＥＣ／ＫＢＣ２０により定期的に本体２の電源を入れるようにしても良い。本体２の電源を入れたり切ったりすることで、常に本体２の電源を入れている場合よりもメインバッテリ２５の消耗を抑えることができる。メインバッテリ２５の消耗は多くなるが、本体２の電源を入れたままにしておき、情報処理装置１の周囲の音声を録音し続けることも可能である。
【００２２】
盗難された情報処理装置１からの情報漏洩を防止するため、無線通信を介して情報処理装置１の記憶データを消去することも可能である。情報処理装置１が盗難されたと判断したら、無線モジュール１４を介してサーバと無線通信接続をした際に、サーバから情報処理装置１に対して記憶データの消去を行うコマンドを送信することもできる。
【００２３】
本発明では通常動作時の第１のモードと情報処理装置１が盗難された場合の第２のモードとを備え、窃盗者に気付かれないように第２のモードへ移行する。第２のモードでは無線通信を介して窃盗者による操作を禁止するとともに、盗難された情報処理装置１の位置を割り出しサーバに通知する。サーバに音声データが保存されている場合は、情報処理装置１のスピーカから音声を出力するとともに、情報処理装置１のマイクにより周辺の音声を録音することができる。また、外部から容易に着脱できないセキュリティ制御動作専用のサブバッテリを設けることで、バッテリ切れによるセキュリティ動作の中断という事態を防ぐことができる。
【００２４】
本発明を実施した場合、盗難を防止するとともに盗難後に所在地を追跡することの可能な情報処理装置を提供することができる。
【００２５】
本発明ではその主旨を逸脱しない範囲であれば、上記の実施形態に限定されるものではなく種々の変形が可能である。
【図面の簡単な説明】
【００２６】
【図１】本発明の実施形態に係る情報処理装置を示す外観斜視図。
【図２】本発明の実施形態に係る情報処理装置の構成を示すブロック図。
【図３】本発明の実施形態に係る情報処理装置のセキュリティ動作を示すフローチャート。
【図４】本発明の実施形態に係る情報処理装置の第２のモードにおける音声再生動作を示すフローチャート。
【図５】本発明の実施形態に係る情報処理装置の音声録音動作を示すフローチャート。
【符号の説明】
【００２７】
１…情報処理装置、２…本体、３…ヒンジ部、４…ディスプレイユニット、５…タッチパッド、６…キーボード、７…主電源スイッチ、８…上ケース、９…下ケース、１０…ＣＰＵ、１１…ノースブリッジ、１２…メモリ、１３…サウスブリッジ、１４…無線モジュール、１５…ＧＰＳ、１６…サウンド回路、１７…音声入出力部、２０…ＥＣ／ＫＢＣ、２２…３Ｄセンサ、２３…アラーム回路、２５…メインバッテリ、２６…サブバッテリ
【図１】
2007265139.tif 000003
【図２】
2007265139.tif 000004
【図３】
2007265139.tif 000005
【図４】
2007265139.tif 000006
【図５】
2007265139.tif 000007